(57)【要約】      （修正有）【課題】食用油及び卵液を自動的に添加し玉子焼きを製造可能な玉子焼き自動成形機を提供する。【解決手段】玉子焼き自動成形機は、ベース１０と伝動機構２０と油容器３０と卵液容器４０とを備える。ベースは、加熱槽１１とローラー１２とを有する。伝動機構は駆動モーター２１に連結され、ローラーを回転させて軸方向Ｘに移動させる。油容器は加熱槽の上方に位置し、第一コントロール部材に連結される。卵液容器は加熱槽の上方に位置し、第二コントロール部材に連結される。伝動機構は、ローラーを移動させる過程において、先ず第一コントロール部材を連動して、油容器内の食用油を加熱槽へ流し予熱し、次に第二コントロール部材を連動して、卵液容器内の卵液を加熱槽に流し加熱して卵凝固面を形成する。また、ローラーを加熱槽において軸方向に沿って回転させることにより卵凝固面を巻け上げて玉子焼きを成形する。【選択図】図３
0003224718.tif 000002
【実用新案登録請求の範囲】
【請求項１】
ベースと、伝動機構と、油容器と、卵液容器と、を備える玉子焼き自動成形機であって、
前記ベースは、細長い加熱槽を備え、また、前記加熱槽の上方にローラーが設置され、
前記伝動機構は、前記ベースに設置され、前記ローラーと伝動可能に連結され、前記ベースには駆動モーターが設置され、前記駆動モーターは前記伝動機構に連結され前記ローラーを連動し回転させ且つ前記加熱槽の軸方向に平行に移動させ、
前記油容器は、前記ベースに設置され、食用油を収容し、前記油容器は前記加熱槽の上方に位置し、前記油容器には、第一コントロール部材が設置され、
前記卵液容器は、前記ベースに設置され、卵液を収容し、前記卵液容器は前記加熱槽の上方に位置し、また、前記油容器に相対して後に位置し、前記卵液容器には第二コントロール部材が設置され、
前記伝動機構は、前記ローラーを連動して移動させる過程において、先ず前記第一コントロール部材を連動し、前記第一コントロール部材により前記油容器が制御され、前記油容器の内部に収容される前記食用油を前記加熱槽へと流して予熱し、続いて、前記第二コントロール部材を連動して、前記第二コントロール部材により前記卵液容器が制御され、前記卵液容器の内部に収容される前記卵液を前記加熱槽に流し、前記卵液が加熱され卵凝固面になると、前記伝動機構により前記ローラーは連動されて回転し、前記加熱槽において、前記軸方向に沿って移動して回転することで、前記卵凝固を巻き上げて玉子焼きを成形することを特徴とする、
玉子焼き自動成形機。
【請求項２】
前記伝動機構は、リードスクリューと、スライド台と、を備え、前記リードスクリューは、前記軸方向に沿って設置され、前記スライド台は、前記リードスクリューと伝動可能に連結され、前記軸方向に沿って移動でき、前記リードスクリューは、前記駆動モーターと軸接され、前記駆動モーターは、前記リードスクリューを駆動して回転させ、これによって、前記ローラーが連動されて、前記スライド台とともに前記軸方向に沿って移動することを特徴とする請求項１に記載の玉子焼き自動成形機。
【請求項３】
前記ベースには、前記リードスクリューに平行なラックギアが設置され、前記スライド台には、転換軸が設置され、前記転換軸には、第一ギアが設置され、前記転換軸は、前記ラックギアに対応して噛み合う第二ギアをさらに有し、前記ローラーには、前記第一ギアに噛み合う第三ギアが設置され、前記スライド台が前記軸方向に沿って移動する時、前記第二ギアは噛み合う前記ラックギアの伝動を受け、前記転換軸及び前記第一ギアを連動して回転させ、前記第三ギアは、前記第一ギアの噛み合い駆動を受け、前記ローラーを連動して回転させることを特徴とする請求項２に記載の玉子焼き自動成形機。
【請求項４】
前記ベースには、案内部材が設置され、前記案内部材は、前記ローラーに面する片側面に、ガイド槽を備え、前記ガイド槽は、第一端と、第二端、を備え、前記軸方向に沿って上下に区画された下槽道と、上槽道と、がさらに設置され、前記下槽道と前記上槽道は、前記第一端と前記第二端において上下に連通するループを形成し、前記ローラーの一端は、前記ガイド槽中に挿設され、前記ローラーは、下降して、前記下槽道において前記軸方向に沿って、前記第一端から前記第二端へと移動し、前記第二端において前記上槽道へと上昇し、さらに前記第一端へと移動して復位し、それゆえ、前記ローラーは、前記第一端と前記第二端との間で前記下槽道と前記上槽道に沿って循環的に伝動することを特徴とする請求項３に記載の玉子焼き自動成形機。
【請求項５】
前記玉子焼き自動成形機は、第一スイングアームを有し、前記第一スイングアームは前記第一ギアと前記第二ギアとの間に位置し、且つ前記転換軸に固定され、前記ローラーは、前記第三ギアを有する一端が前記第一スイングアームと接続され、前記案内部材は、前記ガイド槽の前記第二端に第二スイングアームが設置され、前記ローラーは自重により前記第一スイングアームとともに前記第一端において前記下槽道に下降し、また、前記ローラーが前記下槽道に沿って前記第二端に到達するとき、前記第二スイングアームの上向きの牽引を受けて前記上槽道へと上昇することを特徴とする請求項４に記載の玉子焼き自動成形機。
【請求項６】
前記油容器は、前記食用油を収容する槽部を有し、また、前記槽部に連通する第一貫通穴を有し、前記第一コントロール部材は、回転可能な第一シャフトを有し、前記第一シャフトは、前記槽部の下方において前記油容器に穿設され、また、第二貫通穴を備え、前記ローラーが、前記スライド台により連動されて、前記上槽道において第二端より前記軸方向に沿って移動し、前記第一端に接近するとき、前記第一シャフトは、前記スライド台上の第一トグル部に動かされて回転し、前記第一貫通穴と前記第二貫通穴を連通させ、これにより前記槽部に収容される前記食用油は、前記第一貫通穴と前記第二貫通穴とを通って、前記加熱槽まで流れ出すことを特徴とする請求項４に記載の玉子焼き自動成形機。
【請求項７】
前記加熱槽の両端は、傾斜状を呈することにより、前記食用油が前記加熱槽内に制限されることを特徴とする請求項６に記載の玉子焼き自動成形機。
【請求項８】
前記卵液容器は、前記ベースに枢設され、また、傾動して前記卵液を流し出すことができ、前記第二コントロール部材は、水平移動可能な第二シャフトを有し、前記第二シャフトの一端には、ガイドホイールを有し、前記ガイドホイールは前記卵液容器の片側に位置するガイド溝内に設置され、前記第二シャフトの前記ガイドホイールとは反対端に、トグルを連結し、前記第一スイングアーム上には、第二トグル部が設置され、前記ローラーが、前記スライド台により連動され、前記軸方向に沿って、前記上槽道において前記第二端から前記第一端へと移動する時、前記トグルは、前記第二トグル部に動かされ枢動し、また、前記ガイドホイールを牽引し、前記ガイド溝内で前記卵液容器を押して動かし、これにより前記卵液容器は傾動して、前記卵液を前記加熱槽へと流すことを特徴とする請求項５に記載の玉子焼き自動成形機。
【請求項９】
前記ベースは、前記加熱槽において、前記第二端に相対して、巻き上げられた前記玉子焼きを収容する収容ボックスを有することを特徴とする請求項４に記載の玉子焼き自動成形機。
【請求項１０】
前記玉子焼き自動成形機は、前記収容ボックスに対応して設置される昇降台をさらに有し、また、前記加熱槽の下方に第三スイングアームをさらに有し、前記昇降台は、前記第三スイングアームに対応し且つ傾斜状を呈するガイド台が設置され、前記スライド台は、第三トグル部を有し、前記ローラーが前記第一端に位置するとき、前記第三トグル部は前記第三スイングアームを抑圧し、前記第三スイングアームにより前記ガイド台が持ち上げられ、前記昇降台が上昇され、且つ前記収容ボックスは露出され、前記ローラーが、前記下槽道において前記軸方向に沿って、前記第一端から前記第二端へと移動する時、前記第三スイングアームは前記第三トグル部の抑圧を徐々に離脱し、前記昇降台が下降されて前記収容ボックスに蓋をし、前記ローラーが、前記下槽道において前記軸方向に沿って、前記第一端から移動し、前記第二端に接近するとき、前記第三トグル部は前記ガイド台を直接持ち上げ、これにより前記昇降台は上昇されて前記収容ボックスを露出させ、前記ローラーが、前記上槽道へと上昇し、前記軸方向に沿って、前記第二端から前記第一端へと移動するとき、前記昇降台は再度下降され、前記収容ボックスに蓋をすることを特徴とする請求項９に記載の玉子焼き自動成形機。
【考案の詳細な説明】
【技術分野】
【０００１】
本考案は玉子焼き自動成形機に関し、特に製造プロセスにおいて食用油及び卵液を自動的に添加し玉子焼きを製造可能な玉子焼き自動成形機に関する。
【背景技術】
【０００２】
従来の玉子焼き製造は一般的には手作業で行われている。
フライパンに油を入れ予熱した後、卵液をかき混ぜ、油を入れ且つ予熱したフライパンに流し入れ、卵液が凝固し卵凝固面が形成された後、調理者が箸やフライ返しなどの調理器具で卵凝固面を徐々に巻き、玉子焼きが出来上がる。
しかし、この種の作り方では、玉子焼きの産量は少なく、一般家庭には適用できるが、商業量産には向いていない。
【０００３】
現在市販の玉子焼き成形機は、半自動型に属する。
加熱した鉄板上に、操作者が手動で食用油を加え予熱して、かき混ぜた卵液を入れ鉄板上で加熱する。卵液が固まり凝固面ができると、駆動モーターがローラーを回転させて、徐々に移動させ、それゆえ、卵凝固面が巻き上げられ、玉子焼きが成形される。
【０００４】
上記した従来の半自動型玉子焼き成形機は、ローラーにより、卵凝固面を巻き上げ、玉子焼きを成形することはできるが、加熱した鉄板上に食用油を加えて予熱し卵液を流し入れる動作は人の手に頼るしかなく、玉子焼き製造プロセスの全自動化作業を達成することはできない。
よって、玉子焼き成形作業の効率を高めることが求められている。
【先行技術文献】
【特許文献】
【０００５】
【特許文献１】特開平０６−２５３９８７号公報
【考案の概要】
【考案が解決しようとする課題】
【０００６】
前記背景技術には、加熱した鉄板上に食用油を加えて予熱し卵液を流し入れる動作は人の手に頼るしかなく、玉子焼き製造プロセスの全自動化作業を達成することができないという欠点がある。
【課題を解決するための手段】
【０００７】
本考案による玉子焼き自動成形機は、玉子焼き成形の過程において、食用油の予熱を自動的に行え、自動的に卵液を加熱し凝固面にし、ローラーにより卵凝固面を巻いて玉子焼きを成形でき、玉子焼きの製造を自動化作業で完成できる玉子焼き自動成形機に関する。
【０００８】
本考案による玉子焼き自動成形機は、ベースと、伝動機構と、油容器と、卵液容器と、を備える。
ベースは、細長い加熱槽を備え、加熱槽の上方にローラーが設置される。
伝動機構は、ベースに設置され、ローラーと伝動可能に連結する。ベースは、駆動モーターがさらに設置される。駆動モーターは、伝動機構と連結され、ローラーを連動し回転させ、且つ加熱槽の軸方向に平行に移動させる。
油容器は、ベースに設置され、食用油を収容する。油容器は、加熱槽上方に位置し、油容器は、第一コントロール部材が設置される。
卵液容器は、ベースに設置され、卵液を収容する。卵液容器は、加熱槽上方に位置し、また、油容器に相対して後に位置する。卵液容器には、第二コントロール部材が設置される。
ローラーが連動されて移動させる過程において、伝動機構は、先ず、第一コントロール部材を連動して、油容器内に収容される食用油を加熱槽へと流し入れて予熱し、次に第二コントロール部材を連動して、卵液容器内の卵液を加熱槽に流し入れ、卵液が加熱されて卵凝固面が形成され、そして、ローラーを連動して回転させ、加熱槽において軸方向に沿って移動させ、ローラーの回転により、卵凝固面が巻き上げられて玉子焼きが成形される。
【０００９】
本考案による玉子焼き自動成形機は、伝動機構の作動により、油容器を連動し、食用油を自動的に加熱槽に流し入れて予熱し、続いて卵液容器内の卵液を加熱槽へと流し入れ加熱されて卵凝固面になり、そして、ローラーを連動して回転させ、且つ軸方向に沿って移動させ、加熱槽上にすでに凝固した卵凝固面を巻いて玉子焼きを成形する。それゆえ、操作員は食用油と卵液を準備する以外は、食用油を流し、卵を加熱して卵凝固面を形成し、玉子焼きを巻く作業は自動的に完成され、玉子焼きの成形作業の効率を効果的に高めることができる。
【図面の簡単な説明】
【００１０】
【図１】本考案による玉子焼き自動成形機の外観を示す斜視図である。
【図２】本考案による玉子焼き自動成形機の外観及び内部構造を示す斜視図である。
【図３】本考案による玉子焼き自動成形機の別の角度から眺めた外観及び内部構造を示す斜視図である。
【図４】本考案による玉子焼き自動成形機の前側から眺めた外観及び内部構造を示す模式図である。
【図５】本考案による玉子焼き自動成形機の後側から眺めた外観及び内部構造を示す模式図である。
【図６】図２におけるＡを拡大して眺めた拡大模式図であり、第一シャフトが第一トグル部に動かされる動作を示す。
【図７】図２におけるＢを拡大して眺めた拡大模式図であり、第二シャフトが第二トグル部に動かされる動作を示す。
【図８】本考案による玉子焼き製造プロセスの模式図であり、ローラーが第一端に位置し、また、第一シャフトが第一トグル部により動かされ、第一貫通穴と第二貫通穴を連通させる様子を示す。
【図９】本考案による玉子焼き製造プロセスを示す模式図であり、ローラーが下槽道に位置し第二端へと移動し、昇降台が第三スイングアームの揺動に従い下降する様子を示す。
【図１０】本考案による玉子焼き製造プロセスを示す模式図であり、ローラーが第二端へと移動し卵凝固面を徐々に巻く様子を示す。
【図１１】本考案による玉子焼き製造プロセスを示す模式図であり、ローラーが卵凝固面を巻いて玉子焼きを成形し、昇降台が第三スイングアームの揺動に従い上昇する様子を示す。
【図１２】本考案による玉子焼き製造プロセスを示す模式図であり、玉子焼きが収容ボックスに移り、ローラーが上槽道へ移動し第一端へと戻る様子を示す。
【考案を実施するための形態】
【００１１】
（一実施形態）
図１〜図１２に示す通り、本考案による玉子焼き自動成形機１００は、ベース１０と、伝動機構２０と、油容器３０と、卵液容器４０と、を備える。
【００１２】
ベース１０は、細長い加熱槽１１と、ローラー１２と、を備え、ローラー１２は、加熱槽１１の上方に位置する。
伝動機構２０は、ベース１０に設置され、ローラー１２と伝動可能に連結し、ベース１０は、駆動モーター２１がさらに設置され、駆動モーター２１は伝動機構２０に連結し、ローラー１２の回転を連動し、また、ローラー１２は加熱槽１１の軸方向Ｘに沿って平行に移動させる。
油容器３０は、ベース１０に設置され、食用油を収容し、油容器３０は、加熱槽１１上方に位置し、油容器３０には、第一コントロール部材が設置される。
卵液容器４０は、ベース１０に設置され、卵液を収容し、卵液容器４０は、加熱槽１１上方に位置し、また、油容器３０に相対して後に位置し、卵液容器４０には、第二コントロール部材が設置される。
【００１３】
ローラー１２が連動されて移動させる過程において、伝動機構２０は、先ず、第一コントロール部材を連動し、油容器３０内に収容される食用油を加熱槽１１へと流し入れて予熱し、次に第二コントロール部材を連動し卵液容器４０内の卵液を流し入れ、卵液が加熱槽１１に沿って加熱されて卵凝固面が形成され、そして、ローラー１２を連動して回転させ、加熱槽１１において軸方向Ｘに沿って移動させ、ローラー１２の回転により、卵凝固面が巻き上げられて、玉子焼きが成形される。
【００１４】
本実施形態において、伝動機構２０には、リードスクリュー２２と、スライド台２３が設置され、リードスクリュー２２は、軸方向Ｘに沿って設置され、スライド台２３は、リードスクリュー２２と伝動可能に連結し、これによりスライド台２３は、軸方向Ｘに沿って移動できる。
本実施形態において、リードスクリュー２２は、駆動モーター２１に軸接され、駆動モーター２１は、リードスクリュー２２の回転を駆動し、ローラー１２が、スライド台２３とともに、軸方向Ｘに沿って移動させる。
好ましくは、ベース１０には、リードスクリュー２２に平行に、ラックギア１３が設置され、スライド台２３には、転換軸２４が設置され、転換軸２４には、第一ギア２５と第二ギア２６とが設置され、ローラー１２には、第三ギア１４が設置される。
第一ギア２５は、第三ギア１４に噛み合い、第二ギア２６は、ラックギア１３に対応して噛み合う。
スライド台２３が軸方向Ｘに沿って移動させる時、第二ギア２６は、噛み合うラックギア１３の伝動を受け、転換軸２４及び第一ギア２５を連動して回転させる。
第三ギア１４と第一ギア２５との噛み合いにより、ローラー１２は、駆動され且つ連動されて回転する。
【００１５】
本実施形態のベース１０には、案内部材５０が設置され、案内部材５０は、ガイド槽５１を備える。
ガイド槽５１は、案内部材５０の片側面に位置し、ローラー１２に面している。
本実施形態のガイド槽５１は、第一端５２と第二端５３とを備え、ガイド槽５１は、軸方向Ｘに沿って、下槽道５４と上槽道５５とが設置される。
下槽道５４と上槽道５５は、本実施形態において、ロングストリップ５６により上下に区画され、また、下槽道５４と上槽道５５は第一端５２と第二端５３において上下方向に互いに連通するため、ループが形成される。
ローラー１２の一端は、ガイド槽５１に挿設される（即ち、第一端５２、第二端５３、下槽道５４或いは上槽道５５に挿入されて位置する）。詳しく言うと、ローラー１２は、第一端５２において下降して、下槽道５４において軸方向Ｘに沿って第一端５２から第二端５３へと移動し、第二端５３において上槽道５５まで上昇し、次に第一端５２へと移動して復位する。それゆえ、ローラー１２は、第一端５２と第二端５３との間で、下槽道５４と上槽道５５に沿って循環的に伝動できる。
【００１６】
ローラー１２は、第一スイングアーム２７と第二スイングアーム５７により、下槽道５４と上槽道５５との間で昇降移動できる。第一スイングアーム２７は、転換軸２４に固定され、且つ第一ギア２５と第二ギア２６との間に設置される。ローラー１２は、第三ギア１４を有する一端に第一スイングアーム２７と接続される。第二スイングアーム５７は、案内部材５０の第二端５３に設置される。
ローラー１２は、自重により第一スイングアーム２７とともに第一端５２において下槽道５４に下降し、下槽道５４に沿って第二端５３に到達するとき、また、第二スイングアーム５７により上向きへの牽引を受け、上槽道５５まで上昇する。
これにより、ローラー１２は、軸方向Ｘに沿って、それぞれ下槽道５４或いは上槽道５５において、第一端５２と第二端５３の間で循環的に伝動できる。
【００１７】
好ましい実施形態において、油容器３０は、食用油を収容する槽部３１と、槽部３１に連通する第一貫通穴３２、を備える。
第一コントロール部材は、回転可能な第一シャフト３３を有し、第一シャフト３３は、槽部３１の下方において、油容器３０に穿設される。
第一シャフト３３は、第二貫通穴３３１を備える。
これにより、ローラー１２がスライド台２３に連動され、上槽道５５において、軸方向Ｘに沿って、第二端５３から移動して第一端５２に接近するとき、第一シャフト３３は、スライド台２３上の第一トグル部２３１に動かされて回転し、第一貫通穴３２と第二貫通穴３３１を連通させ、これにより槽部３１に収容される食用油は、第一貫通穴３２と第二貫通穴３３１を通って、加熱槽１１まで流れ出す。
好ましくは、加熱槽１１の両端は傾斜状を呈し、これにより、食用油が加熱槽１１内に収容され、加熱槽１１外への流れ出しを制限できる。
【００１８】
好ましい実施形態において、卵液容器４０は、ベース１０に枢設され、卵液容器４０は、第二コントロール部材により、傾動して卵液を流し出すことができる。
第二コントロール部材は、水平移動が可能な第二シャフト４１を有し、第二シャフト４１の一端には、ガイドホイール４１１を有し、卵液容器４０の片側には、長尺状のガイド溝４２を有し、ガイドホイール４１１は、ガイド溝４２内に設置される。
第二シャフト４１は、ガイドホイール４１１とは反対端に、トグル４１２に連結され、第一スイングアーム２７上には、第二トグル部２７１が設置される。
スライド台２３が、軸方向Ｘに沿って、ローラー１２を連動し、上槽道５５において第二端５３から第一端５２へと移動させる時、トグル４１２は、第二トグル部２７１に動かされて枢動し、それゆえ、ガイドホイール４１１が牽引され、ガイド溝４２内において移動させる。
これにより、卵液容器４０が押されて傾動動作をさせ、卵液容器４０の傾動により卵液が流れ出て、加熱槽１１へと流れる。
この時、加熱槽１１にはすでに予熱された食用油があるため、卵液は加熱槽１１において加熱されるにつれて、徐々に凝固して卵凝固面となる。
【００１９】
好ましい実施形態において、ベース１０は、加熱槽１１に、収容ボックス１５を有する。収容ボックス１５はガイド槽５１の第二端５３の近くに設置される。
玉子焼きは、ローラー１２により第二端５３において巻き上げられた後、収容ボックス１５内に収容される。
本実施形態による玉子焼き自動成形機１００は、収容ボックス１５の設置に対し、収容ボックス１５に対応する昇降台６０をさらに有し、また、加熱槽１１下方に、第三スイングアーム６１が設置される。
昇降台６０は、第三スイングアーム６１に対応し、ガイド台６２が設置され、ガイド台６２は、傾斜状を呈し、本実施形態においては、第一端５２から第二端５３へと斜めに下って設置される。
【００２０】
本実施形態によるスライド台２３は、第三トグル部２３２を有する。
ローラー１２が、下槽道５４において軸方向Ｘに沿って、第一端５２から第二端５３へと移動する時、第三スイングアーム６１は、徐々に第三トグル部２３２の抑圧を離脱し、これにより昇降台６０が、下降させて収容ボックス１５に蓋をする。
続いて、ローラー１２が、下槽道５４において、軸方向Ｘに沿って第一端５２から移動して、第二端５３に接近するとき、第三トグル部２３２は、ガイド台６２を直接持ち上げ、これにより昇降台６０を上昇させるので、収容ボックス１５を露出させる。
これにより、成形された玉子焼きは、加熱槽１１から収容ボックス１５の中へと転がって入り、しかもローラー１２は上槽道５５まで上昇し、軸方向Ｘに沿って、第二端より５３から第一端５２へとスライド移動すると、昇降台６０再度下降し、収容ボックス１５に蓋をする。
さらに、ローラー１２が、移動して第一端５２に位置するとき、第三トグル部２３２は、第三スイングアーム６１を抑圧し、第三スイングアーム６１によりガイド台６２が上げられ、それゆえ、昇降台６０が上昇され、収容ボックス１５は露出される。
この時、収容ボックス１５を取り出して玉子焼きを取り出すことができる。
【００２１】
実際の操作において、ローラー１２が伝動機構２０に連動され第一端５２に位置するとき、第一シャフト３３は、第一トグル部２３１に動かされ（図６参照）、これにより槽部３１中の食用油は第一貫通穴３２と第二貫通穴３３１を通り（図８参照）、加熱槽１１へと流れ出す。
続いて、ローラー１２は、下槽道５４において軸方向Ｘに沿って、第一端５２より第二端５３へと移動し、食用油は加熱槽１１に広げられて予熱される（図９参照）。
ローラー１２は続いて、第二スイングアーム５７を越えて、第二端５３に上昇して上槽道５５へ入り、第一端５２へと移動する途中で、スライド台２３の移動により、第二トグル部２７１が連動されてトグル４１２を動かす（図７参照）。
これにより、卵液容器４０は傾動して卵液を加熱槽１１に流し入れて加熱され、ローラー１２は続いて、第一端５２へと移動する。
【００２２】
卵液が加熱槽１１において加熱され卵凝固面７０になると、ローラー１２は再び伝動機構２０の連動を受けて、回転しながら、下槽道５４において第一端５２から第二端５３へと移動する。
この時、ローラー１２の回転と移動する過程において、卵凝固面７０が巻き上げられ（図１０参照）、ローラー１２が、再び第二端５３へ至ると、第三トグル部２３２はガイド台６２を直接持ち上げ、これにより昇降台６０は上昇される。
これにより、成形された玉子焼き８０は、加熱槽１１から収容ボックス１５の中へと転がって入り（図１１参照）、ローラー１２が上槽道５５まで上昇し、軸方向Ｘに沿って第二端５３より第一端５２へと移動するにつれて、昇降台６０は、下降されて収容ボックス１５に蓋をする（図１２参照）。
さらに、ローラー１２が移動して、第一端５２に位置すると、第三トグル部２３２は第三スイングアーム６１を抑圧し、再びガイド台６２を上げ、これにより昇降台６０は上昇される。
こうして、収容ボックス１５を取り出せ玉子焼き８０を取り出すことができ（図８参照）、玉子焼き８０の自動成形製造プロセスが完了する。
【００２３】
上記のように、本考案による玉子焼き自動成形機１００は、伝動機構２０により油容器３０を連動し、食用油が製造プロセスにおいて自動的に加熱槽１１内に入れられ予熱され、続いて卵液容器４０を連動し、卵液が製造プロセスにおいて自動的に加熱槽１１へと流し入れられ、加熱されて卵凝固面７０になる。
しかも、ローラー１２が伝動機構２０に連動されて回転し、軸方向Ｘに沿って移動することで、加熱槽１１上で凝固した卵凝固面７０を巻いて玉子焼き８０を成形することができる。
よって、玉子焼き８０の製造プロセスにおいて、操作員は食用油と卵液を準備する以外、食用油を加えることから加熱された卵凝固面７０を玉子焼き８０へと巻くことまで、すべての作業は自動で完成できる。
本考案による玉子焼き自動成形機１００は、一台の駆動モーター２１により伝動機構２０を駆動して玉子焼きの製造プロセスを完成できるため、玉子焼きの成形作業の効率を効果的に高めることができる。
【００２４】
前述した本考案の実施形態は本考案を限定するものではなく、よって、本考案により保護される範囲は実用新案登録請求の範囲を基準とする。
【符号の説明】
【００２５】
１００  玉子焼き自動成形機、
１０  ベース
１１  加熱槽
１２  ローラー
１３  ラックギア
１４  第三ギア
１５  収容ボックス
２０  伝動機構
２１  駆動モーター
２２  リードスクリュー
２３  スライド台
２３１  第一トグル部
２３２  第三トグル部
２４  転換軸
２５  第一ギア
２６  第二ギア
２７  第一スイングアーム
２７１  第二トグル部
３０  油容器
３１  槽部
３２  第一貫通穴
３３  第一シャフト
３３１  第二貫通穴
４０  卵液容器
４１  第二シャフト
４１１  ガイドホイール
４１２  トグル
４２  ガイド溝
５０  案内部材
５１  ガイド槽
５２  第一端
５３  第二端
５４  下槽道
５５  上槽道
５６  ロングストリップ
５７  第二スイングアーム
６０  昇降台
６１  第三スイングアーム
６２  ガイド台
Ｘ  軸方向
７０  卵凝固面
８０  玉子焼き
【図１】
0003224718.tif 000003
【図２】
0003224718.tif 000004
【図３】
0003224718.tif 000005
【図４】
0003224718.tif 000006
【図５】
0003224718.tif 000007
【図６】
0003224718.tif 000008
【図７】
0003224718.tif 000009
【図８】
0003224718.tif 000010
【図９】
0003224718.tif 000011
【図１０】
0003224718.tif 000012
【図１１】
0003224718.tif 000013
【図１２】
0003224718.tif 000014